(57)【特許請求の範囲】
【請求項１】
ネットワーク（３４）及び映像モニタ（３０）に接続する画像受信装置（１０）が、プレゼンテーション管理サーバ（７０）への接続制御情報を表示するステップと、
当該接続制御情報を使って、携帯通信機器（４０）により当該プレゼンテーション管理サーバ（７０）にアクセスするステップと、
当該プレゼンテーション管理サーバにおいて、当該映像モニタで内容を表示すべきプレゼンテーションファイルを画像化し、画像ファイルを生成するステップと、
当該携帯通信機器からの操作指示に従い、当該プレゼンテーション管理サーバが、当該画像ファイルのうちの指定部分を当該画像受信装置（１０）に送信するステップと、
当該画像受信装置（１０）が、当該プレゼンテーション管理サーバからの画像を受信し、当該映像モニタ（３０）に出力するステップ
とを具備することを特徴とするファイル表示方法。
【請求項２】
ネットワークに接続するプレゼンテーション管理サーバ（７０）と、
当該ネットワーク（３４）及び映像モニタ（３０）に接続する画像受信装置（１０）であって、当該ネットワークにプレゼンテーション管理サーバ（７０）への接続制御情報を当該映像モニタに表示する画像受信装置（１０）と、
当該接続制御情報に従い、当該プレゼンテーション管理サーバにアクセスし、当該プレゼンテーション管理サーバを遠隔操作する携帯通信機器（４０）
とを具備するファイル表示システムであって、
当該プレゼンテーション管理サーバが、
当該映像モニタで内容を表示すべきプレゼンテーションファイルを画像化し、画像ファイルを生成する変換装置（８０）と、
当該携帯通信機器からの操作指示に従い、当該画像ファイルのうちの指定部分を当該画像受信装置に送信する送信手段
とを具備することを特徴とするファイル表示システム。
【発明の詳細な説明】
【技術分野】
【０００１】
本発明は、所望のファイルを外部に持ち出すこと無しに閲覧可能にするファイル表示方法及びシステムに関する。
【背景技術】
【０００２】
営業マン、セールスエンジニア又は研究者等が自社の内部資料を特定人に公開する必要がある場合、その技術者は、ノートパソコンにその資料をコピーして持参し、特定人の前で表示することになる。最近の携帯電話は、かなりの容量のメモリを具備するので、携帯電話のメモリに必要なファイルを格納することも考えられる。
【発明の開示】
【発明が解決しようとする課題】
【０００３】
ノートパソコン等ファイルを入れて持参する方法では、ノートパソコン等の紛失又は盗難による漏洩の恐れがある。
【０００４】
従来の方法は、提示すべき資料が予め分かっている場合には、対応できるが、持参していない資料を要求された場合に対応できる。
【０００５】
本発明は、所望のファイルを外部に持ち出すこと無しに閲覧可能にするファイル表示方法及びシステムを提示することを目的とする。
【課題を解決するための手段】
【０００６】
本発明に係るファイル表示方法は、ネットワーク及び映像モニタに接続する画像受信装置が、プレゼンテーション管理サーバへの接続制御情報を表示するステップと、当該接続制御情報を使って、携帯通信機器により当該プレゼンテーション管理サーバにアクセスするステップと、当該プレゼンテーション管理サーバにおいて、当該映像モニタで内容を表示すべきプレゼンテーションファイルを画像化し、画像ファイルを生成するステップと、当該携帯通信機器からの操作指示に従い、当該プレゼンテーション管理サーバが、当該画像ファイルのうちの指定部分を当該ビデオ出力装置に送信するステップと、当該画像受信装置が、当該プレゼンテーション管理サーバからの画像を受信し、当該映像モニタに出力するステップとを具備することを特徴とする。
【０００７】
本発明に係るファイル表示システムは、ネットワークに接続するプレゼンテーション管理サーバと、当該ネットワーク及び映像モニタに接続する画像受信装置であって、当該ネットワークにプレゼンテーション管理サーバへの接続制御情報を当該映像モニタに表示する画像受信装置と、当該接続制御情報に従い、当該プレゼンテーション管理サーバにアクセスし、当該プレゼンテーション管理サーバを遠隔操作する携帯通信機器とを具備するファイル表示システムである。そして、当該プレゼンテーション管理サーバが、当該映像モニタで内容を表示すべきプレゼンテーションファイルを画像化し、画像ファイルを生成する変換装置と、当該携帯通信機器からの操作指示に従い、当該画像ファイルのうちの指定部分を当該画像受信装置に送信する送信手段とを具備する。
【発明の効果】
【０００９】
本発明によれば、プレゼンテーションを行う場所に提案機能を搭載したＳＴＢ等の画像受信装置が設置されていれば、携帯電話等の携帯通信機機器だけでプレゼンテーションを行うことができ、固定系と移動系を連携させたサービスとして有用である。
【発明を実施するための最良の形態】
【００１０】
以下、図面を参照して、本発明の実施例を詳細に説明する。
【００１１】
図１は、本発明の一実施例の概略構成ブロック図を示す。本実施例では、ネットワークアクセス機能を具備するセットトップボックス（ＳＴＢ）１０又はテレビ放送受信装置に映像モニタ３０が接続する。映像モニタ３０は、音声出力機能を持っていても、持たなくても、どちらでもよい。ＳＴＢ１０はゲートウエイ３２を介して広域通信ネットワーク３４、例えばインターネットに接続する。
【００１２】
ＳＴＢ１０は、ゲートウエイ３２に接続するネットワークインターフェース１２、全体を制御するＣＰＵ１４、映像モニタ３０が接続する画像出力装置１６、メモリ１８及びサーバ接続情報記憶装置２０を具備する。
【００１３】
画像出力装置１６は、放送された画像及び広域通信ネットワーク３４からゲートウエイ３２を介して受信した画像データをＮＴＳＣ等の所定映像形式で映像モニタ３０に出力する。サーバ接続情報記憶装置２０は、ＳＴＢ１０に広域通信ネットワーク３４を介して画像情報を送信するサーバ、本実施例では、プレゼンテーション管理サーバ７０の接続情報（ＵＲＬ又はＩＰアドレス、ログインＩＤ及びパスワード等）を記憶する。
【００１４】
ＣＰＵ１４は、サーバ接続情報記憶装置２０に記憶される接続情報等の種々の情報を示す図形コード、例えばＱＲコード（商標）を生成するＱＲコード生成機能２２を具備する。
【００１５】
昨今の携帯電話ネットワークはインターネットに接続可能である。本実施例では、任意の携帯電話４０が、携帯電話ネットワーク３６を介して広域通信ネットワーク３４に接続可能である。携帯電話４０は、携帯電話ネットワーク３６に接続するネットワークインターフェース４２、全体を制御するＣＰＵ４４、操作キー４６、カメラ４８及びストレージ５０を具備する。ＣＰＵ４４は、カメラ４８で撮影したＱＲコードを解析又はデコードするＱＲコード解析機能５２を具備する。
【００１６】
広域通信ネットワーク３４には更に、ユーザ情報管理サーバ６０、プレゼンテーション管理サーバ（ＰＭサーバ）７０、及び社内ネットワーク内のファイルサーバ９０が接続する。勿論、ファイルサーバ９０は、社内から社外、及びその逆のデータ転送を管理するゲートウエイを介して広域通信ネットワーク３４に接続するが、本実施例の作用には関係しないので、図１では、そのようなゲートウエイを省略してある。
【００１７】
ユーザ情報管理サーバ６０は、ネットワークインターフェース６２、全体を管理するＣＰＵ６４及びユーザ情報を記憶するユーザ情報記憶装置６６を具備する。
【００１８】
プレゼンテーション管理サーバ（ＰＭサーバ）７０は、ネットワークインターフェース７２、全体を管理するＣＰＵ７４、ストレージ７６、進行管理情報を記憶する進行管理情報記憶装置７８を具備する。ＣＰＵ７４は、プレゼンテーションファイルを画像に変換する変換機能８０を具備する。
【００１９】
ファイルサーバ９０は、ネットワークインターフェース９２、全体を管理するＣＰＵ９４、及び、ファイルを記憶するストレージ９６を具備する。
【００２０】
図２は、本実施例の動作フローを示す。図２を参照して、本実施例の動作を詳細に説明する。
【００２１】
セットトップボックス１０は、電源起動時及び一定周期で、ユーザ情報管理サーバ６０にアクセスし、広域通信ネットワーク３４を介したサーバ接続及びサービス利用の認証を受け、その際に、ＰＭサーバ７０への接続情報を取得する（Ｓ１）。ＰＭサーバ７０への接続情報は、ＰＭサーバ７０のＵＲＬ（Universal Resource Locator）、ログインＩＤ及びパスワードを含む。ＳＴＢ１０は、取得した接続情報を記憶装置２０に格納する。
【００２２】
ＳＴＢ１０でプレゼンテーションを行いたい者、例えば、セールスエンジニアは、ＳＴＢ１０の図示しない操作装置又は遠隔制御装置を使って、ＳＴＢ１０にＰＭサーバ９０の接続制御情報の表示を指示する。この指示に応じて、ＳＴＢ１０のＣＰＵ１４は、記憶装置２０からサーバ接続情報を読み出し、ＱＲコード生成機能２２によりサーバ接続情報、ＳＴＢ１０の識別情報及びワンタイムパスワードを示すＱＲコードを生成する。生成されたＱＲコードは、接続制御情報として画像出力装置１６により映像モニタ３０に印加され、表示される（Ｓ２）。
【００２３】
ＳＴＢ１０は、同時に、ＰＭサーバ７０に画像データ転送のためのセッションの確立を要求し、その際、当該ワンタイムパスワードを使ったアクセス要求があることを通知する。ＳＴＢ１０の識別情報は、ＰＭサーバ７０とＳＴＢ１０との間のセッションを確立するのに必要な情報からなり、例えば、ゲートウエイ３２のＩＰアドレス及びＳＴＢ１０のＩＰアドレスからなり、又は、ＳＴＢ１０のネットワークインターフェース１２のＭＡＣアドレスからなる。ＳＴＢ１０からＰＭサーバ７０に接続を要求することで、広域通信ネットワーク３４からのアクセスを制御するファイアウオールがゲートウエイ３２に設定されている場合でも、ＳＴＢ１０は、ＰＭサーバ７０から画像データを受信できる。
【００２４】
セールスエンジニア等のユーザは、映像モニタ３０の画面に表示されるＱＲコードを持参する携帯電話４０のカメラ４８で撮影し、ＱＲコード解析機能５２で解析する。これにより、携帯電話４０には、ＰＭサーバ７０に接続するための接続情報と、利用しようとするセットトップボックスの識別情報と、ＰＭサーバ７０にアクセスするためのワンタイムパスワードがセットされたことになり、セールスエンジニアは、携帯電話４０を使って、ＰＭサーバ７０にアクセスできる（Ｓ３）。勿論、ＰＭサーバ７０への接続情報の一部又は全部を文字で映像モニタ３０の画面に表示し、セールスエンジニアが、携帯電話４０に手入力しても良いことは明らかである。
【００２５】
ＰＭサーバ７０は、ＳＴＢ１０からのセッション確立要求に付加されるＳＴＢ１０の識別情報とワンタイムパスワードと、携帯電話４０からのアクセス要求に付加される同様の情報を比較し、両者が一致する場合に（Ｓ４）、ＳＴＢ１０との間に画像データ伝送のための通信路を確立し、且つ、携帯電話４０にアクセスを許可する（Ｓ５）。一致しない場合には、ＳＴＢ１０からのセッション確立要求を拒否し、且つ、携帯電話４０からのアクセスを拒否する。
【００２６】
開示したいファイルが携帯電話４０のストレージ５０に格納されている場合、ユーザは、そのファイルを携帯電話４０からＰＭサーバ７０に転送する（Ｓ６）。開示したいファイルが、社内のファイルサーバ９０に格納されている場合、携帯電話４０でファイルサーバ９０にもアクセスし、目的のファイルをファイルサーバ９０から広域通信ネットワーク３４経由でＰＭサーバ７０に転送する。
【００２７】
ＰＭサーバ７０は、受信したファイルをプレゼンテーションファイル変換機能８０で画像ファイルに変換して、受信したプレゼンテーションファイルと、変換で得られる画像データのファイルをストレージ７６に格納する（Ｓ７）。ストレージ７６への格納が終了すると、又は、１頁目の画像を送信可能になると、ＰＭサーバ７０は、ＳＴＢ１０に１頁目の画像データを送信する（Ｓ８）。ＳＴＢ１０は、ＰＭサーバ７０から送信された画像データをメモリ１８に一時保存し、画像出力装置１６により映像モニタ３０の映像形式に合致する映像形式に変換して、映像モニタ３０に供給する。これにより、プレゼンテーションファイルの第１頁が、映像モニタ３０の画面上に表示される。
【００２８】
ユーザは、携帯電話４０を使って、プレゼンテーションファイルの進行（進む及び戻る等）のメッセージをＰＭサーバ７０に送信する。ＰＭサーバ７０は、受信したプレゼンテーションファイルの進行を進行管理情報記憶装置７８に記憶しており、携帯電話４０からのメッセージに従い、指定された頁の画像データをＳＴＢ１０に送信する（Ｓ９）。このようにして、プレゼンテーションファイルの任意の頁が、ＳＴＢ１０に接続する映像モニタ３０の画面上に表示され、あたかも、携帯電話４０がＳＴＢ１０の遠隔制御装置であるかのようにして、表示頁を切り替えることができる。
【００２９】
プレゼンテーションを終了するとき、ユーザは、携帯電話４０で終了をＰＭサーバ７０に通知する（Ｓ１０）。この通知に従い、ＰＭサーバ７０は、プレゼンテーションファイルとその画像データファイルをストレージ７６から消去し、ＳＴＢ１０及び携帯電話４０とのセッションを切断する（Ｓ１１）。
【００３０】
頁送りするプレゼンテーションファイルの実施例を説明したが、本発明は、動画のように、一連の画像を連続して表示するような内容のファイルにも適用可能である。ビデオ機器の再生停止、一時停止、早送り及び巻き戻しと同等の操作を携帯電話４０からＰＭサーバ７０に指示するようにすればよい。
【００３１】
プレゼンテーションファイルをファイルサーバ９０からＰＭサーバ７０に転送する場合、プレゼンテーションファイルを画像に変換する機能をファイルサーバ９０に設けても良い。
【００３２】
また、プレゼンテーションを行う場所のＳＴＢ１０が指定するＰＭサーバからＳＴＢ１０がプレゼンテーションの画像を受信するとしたが、勿論、ユーザが指定するＰＭサーバからＳＴＢ１０が画像データを受信するようにしてもよい。そのほうが、プレゼンテーション終了後のファイルを確実に消去でき、また、他に漏洩することを容易に防止できる。即ち、ファイル内容の秘匿性を確保しやすい。このためには、最初に、例えば、携帯電話４０の無線通信機能、若しくは、装備している場合には赤外線通信機能又は近距離無線機能を使って、ＰＭサーバのアドレスと利用のための情報（ログインＩＤ及びパスワード等）をＳＴＢ１０に通知し、ＳＴＢ１０は、その接続情報を使って、指定されたＰＭサーバにアクセスし、自己への送信を依頼する。
【００３３】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００３４】
【図１】本発明の一実施例の概略構成ブロック図である。
【図２】本実施例の動作フローチャートである。
【符号の説明】
【００３５】
１０：セットトップボックス（ＳＴＢ）
１２：ネットワークインターフェース
１４：ＣＰＵ
１６：画像出力装置
１８：メモリ
２０：サーバ接続情報記憶装置
２２：ＱＲコード生成機能
３０：映像モニタ
３２：ゲートウエイ
３４：広域通信ネットワーク
３６：携帯電話ネットワーク
４０：携帯電話
４２：ネットワークインターフェース
４４：ＣＰＵ
４６：操作キー
４８：カメラ
５０：ストレージ
５２：ＱＲコード解析機能
６０：ユーザ情報管理サーバ
６２：ネットワークインターフェース
６４：ＣＰＵ
６６：ユーザ情報記憶装置
７０：プレゼンテーション管理サーバ（ＰＭサーバ）
７２：ネットワークインターフェース
７４：ＣＰＵ
７６：ストレージ
７８：進行管理情報記憶装置
８０：プレゼンテーションファイル変換機能
９０：ファイルサーバ
９２：ネットワークインターフェース
９４：ＣＰＵ
９６：ストレージ
【図１】
0004774921.tif 000002
【図２】
0004774921.tif 000003